(57)【特許請求の範囲】
【請求項１】
配管を包持支承する左右一対の挟持半体の下部同士を枢着して開閉自在に構成すると共に各挟持半体の上部に取付部を備えた配管包持部材と、上部に吊りボルト若しくは吊りボルトに螺着する吊りボルト螺着部を備えると共に下部に前記配管包持部材の取付部に重合配設する取付用重合部を備えた取付部材とから成り、重合配設した前記取付部と前記取付用重合部とに止着ボルトを挿通し止着ボルトに螺着したナットを締付して前記配管包持部材の挟持半体を閉塞保持するように構成した配管支持金具において、前記配管包持部材の少なくとも一方の挾持半体の取付部に、前記止着ボルトを挿通するボルト挿通孔を設け、このボルト挿通孔は、上部を前記止着ボルトのボルト杆部より径大であってこの止着ボルトに螺着するナット若しくはこの止着ボルトのボルト頭部より径小な係止挿通孔部に形成すると共に、下部を前記ナット若しくは前記ボルト頭部より径大な係脱挿通孔部に形成して、止着ボルトを係止挿通孔部に移動させることでこの止着ボルトに螺着したナット若しくは止着ボルトのボルト頭部がボルト挿通孔より抜け止め状態となり、且つ止着ボルトを係止挿通孔部から係脱挿通孔部に移動させることでこの止着ボルトに螺着したナット若しくは止着ボルトのボルト頭部を係脱挿通孔部を介してボルト挿通孔より挿脱し得るように構成し、このボルト挿通孔の前記係止挿通孔部に止着ボルトを移動させナットを締付して前記配管包持部材の挟持半体を閉塞保持した際に、このナット若しくは止着ボルトのボルト頭部に係止して止着ボルトがボルト挿通孔下部の前記係脱挿通孔部に移動することを阻止する下動阻止突起を、このボルト挿通孔若しくはこのボルト挿通孔を有する前記取付部に設け、この下動阻止突起は、前記ボルト挿通孔若しくはこのボルト挿通孔を有する前記取付部から前記左右一対の挟持半体の対向外側に向けて突設して、この外側に突設する下動阻止突起が前記止着ボルトに螺着した前記ナット若しくはこの止着ボルトのボルト頭部に係止するように構成すると共に、止着ボルトに螺着したナットを緩めてナットとボルト頭部間の距離を拡大し、ナット若しくはボルト頭部を下動阻止突起の突出先端部より外方へ位置させることでナット若しくはボルト頭部の下動阻止突起への係止状態を解除し得るように構成し、この下動阻止突起は、前記止着ボルトを前記係止挿通孔部に移動させた際にこの止着ボルトに螺着した前記ナットの外周面若しくはこの止着ボルトのボルト頭部の外周面に係止してこのナット若しくはボルト頭部に回り止め作用を付与する形状に形成すると共に、この下動阻止突起は、前記ボルト挿通孔若しくはこのボルト挿通孔を有する前記取付部の左右二箇所にハ字状に対設して、この二箇所の下動阻止突起が、前記止着ボルトに螺着した前記ナットの外周面の二面若しくはこの止着ボルトのボルト頭部の外周面の二面に係止してこのナット若しくはボルト頭部に前記回り止め作用を付与する構成とし、この下動阻止突起は、前記ボルト挿通孔を有する前記取付部から切り起こした切り起こし片で構成したことを特徴とする配管支持金具。
【発明の詳細な説明】
【技術分野】
【０００１】
本発明は、配管を吊り下げる配管支持金具に関するものである。
【背景技術】
【０００２】
出願人は、この種の配管支持金具として、特許第３１７４７５４号（特許文献１）を取得している。
【０００３】
この特許文献１を簡単に説明すると、配管を抱持支承する左右の挾持半体の下部同士を枢着して開閉自在に構成し、上部に吊りボルトに螺着する吊りボルト螺着部を設けた取付部材と前記挾持半体の上部とを重合配設し、この重合部分に止着ボルトを挿通螺着して挾持半体を閉塞保持するように構成し、回動開閉操作する一方の挾持半体の前記取付部材と重合配設する取付部に前記止着ボルトを挿通するボルト挿通孔を設け、このボルト挿通孔を、前記止着ボルトのボルト杆部より径大であってこの止着ボルトに螺着するナットより径小な係止挿通孔部を上部に、前記止着ボルトに螺着するナットより径大な係脱挿通孔部を下部にして、相対的に前記止着ボルトがこの係脱挿通孔部から係止挿通孔部へ移動自在となるように連通状態に構成して、前記止着ボルトにナットを螺着した状態であっても、前記ボルト挿通孔の係脱挿通孔部を介して挾持半体を回動操作することでボルト挿通孔に止着ボルトを挿通し、この止着ボルトをボルト挿通孔のこの係脱挿通孔部から係止挿通孔部へ相対的に移動させることでボルト挿通孔より止着ボルトが抜け止め状態となり止着ボルトにナットを締付螺着し得るように構成している。
【０００４】
そして、この特許文献１によれば、止着ボルトにナットを螺着したままで挾持半体を開閉させて本金具の取り付け取り外し作業ができるから、止着ボルトが抜けて金具がバラけてしまうこともなく、また、このように止着ボルトにナットを螺着したまま開閉できるから、いちいちナットを螺着したり、取り外したりする手間もなく、ナットを落としたり、無くしたりしないようにナットを管理する煩わしさもなく、極めて簡単にしてスピーディーに取り付け取り外し作業ができ、極めて作業性に秀れるものであった。
【先行技術文献】
【特許文献】
【０００５】
【特許文献１】特許第３１７４７５４号公報
【発明の概要】
【発明が解決しようとする課題】
【０００６】
上記特許文献１は、例えばナットを緩め止着ボルトのボルト先端側を下方へ傾けて前記ボルト挿通孔の係脱挿通孔部に止着ボルトを移動させれば、止着ボルトにナットを螺着した状態であっても係脱挿通孔部を介して挾持半体を回動操作可能になる（ナット付ボルトを係脱挿通孔部に挿脱可能となる）。
【０００７】
しかし、この特許文献１によれば、たとえナットが緩められた状態であっても、止着ボルトに対しては本金具の自重や抱持している配管の荷重が加わっているために止着ボルトが傾かずに略水平に保たれる上、止着ボルトにはナットを螺着したままとなっているから、ナットが係止挿通孔部に引っ掛かって止着ボルトが抜け外れたり、または、傾いて止着ボルトに螺着したナットやボルト頭部がボルト挿通孔の径大な係脱挿通孔部から容易に抜け外れてしまうようなことは先ずもって起こらない。
【０００８】
しかしながら、このような特許文献１をもってしても、ナット緩めれば止着ボルトを係脱挿通孔部へと容易に動かせるという先入観からか、現場では、例えば少しでもナットに緩みが生じるとそれが原因で止着ボルトが係脱挿通孔部へと移動して止着ボルトが抜け落ちてしまう（配管が脱落してしまう）のではないかという不安の声を耳にすることがあった。
【０００９】
本発明は、このような現場作業者の不安を解消しようとするもので、止着ボルトに螺着したナットを締付して配管包持部材の挟持半体を閉塞保持した際に、ボルト挿通孔の係止挿通孔部に挿通した止着ボルトが下部の係脱挿通孔部に移動することを阻止する下動阻止突起を設けることにより、意図的に止着ボルトをボルト挿通孔から挿脱したい時以外は、確実に止着ボルトを抜け止め状態にできて配管脱落の心配がない配管支持金具を提供するものである。
【課題を解決するための手段】
【００１０】
添付図面を参照して本発明の要旨を説明する。
【００１１】
配管１を包持支承する左右一対の挟持半体２の下部同士を枢着して開閉自在に構成すると共に各挟持半体２の上部に取付部２Ａを備えた配管包持部材３と、上部に吊りボルト４若しくは吊りボルト４に螺着する吊りボルト螺着部５を備えると共に下部に前記配管包持部材３の取付部２Ａに重合配設する取付用重合部６を備えた取付部材７とから成り、重合配設した前記取付部２Ａと前記取付用重合部６とに止着ボルト８を挿通し止着ボルト８に螺着したナット10を締付して前記配管包持部材３の挟持半体２を閉塞保持するように構成した配管支持金具において、前記配管包持部材３の少なくとも一方の挾持半体２の取付部２Ａに、前記止着ボルト８を挿通するボルト挿通孔９を設け、このボルト挿通孔９は、上部を前記止着ボルト８のボルト杆部８Ａより径大であってこの止着ボルト８に螺着するナット10若しくはこの止着ボルト８のボルト頭部８Ｂより径小な係止挿通孔部９Ａに形成すると共に、下部を前記ナット10若しくは前記ボルト頭部８Ｂより径大な係脱挿通孔部９Ｂに形成して、止着ボルト８を係止挿通孔部９Ａに移動させることでこの止着ボルト８に螺着したナット10若しくは止着ボルト８のボルト頭部８Ｂがボルト挿通孔９より抜け止め状態となり、且つ止着ボルト８を係止挿通孔部９Ａから係脱挿通孔部９Ｂに移動させることでこの止着ボルト８に螺着したナット10若しくは止着ボルト８のボルト頭部８Ｂを係脱挿通孔部９Ｂを介してボルト挿通孔９より挿脱し得るように構成し、このボルト挿通孔９の前記係止挿通孔部９Ａに止着ボルト８を移動させナット10を締付して前記配管包持部材３の挟持半体２を閉塞保持した際に、このナット10若しくは止着ボルト８のボルト頭部８Ｂに係止して止着ボルト８がボルト挿通孔９下部の前記係脱挿通孔部９Ｂに移動することを阻止する下動阻止突起11を、このボルト挿通孔９若しくはこのボルト挿通孔９を有する前記取付部２Ａに設け、この下動阻止突起11は、前記ボルト挿通孔９若しくはこのボルト挿通孔９を有する前記取付部２Ａから前記左右一対の挟持半体２の対向外側に向けて突設して、この外側に突設する下動阻止突起11が前記止着ボルト８に螺着した前記ナット10若しくはこの止着ボルト８のボルト頭部８Ｂに係止するように構成すると共に、止着ボルト８に螺着したナット10を緩めてナット10とボルト頭部８Ｂ間の距離を拡大し、ナット10若しくはボルト頭部８Ｂを下動阻止突起11の突出先端部より外方へ位置させることでナット10若しくはボルト頭部８Ｂの下動阻止突起11への係止状態を解除し得るように構成し、この下動阻止突起11は、前記止着ボルト８を前記係止挿通孔部９Ａに移動させた際にこの止着ボルト８に螺着した前記ナット10の外周面若しくはこの止着ボルト８のボルト頭部８Ｂの外周面に係止してこのナット10若しくはボルト頭部８Ｂに回り止め作用を付与する形状に形成すると共に、この下動阻止突起11は、前記ボルト挿通孔９若しくはこのボルト挿通孔９を有する前記取付部２Ａの左右二箇所にハ字状に対設して、この二箇所の下動阻止突起11が、前記止着ボルト８に螺着した前記ナット10の外周面の二面若しくはこの止着ボルト８のボルト頭部８Ｂの外周面の二面に係止してこのナット10若しくはボルト頭部８Ｂに前記回り止め作用を付与する構成とし、この下動阻止突起11は、前記ボルト挿通孔９を有する前記取付部２Ａから切り起こした切り起こし片11で構成したことを特徴とする配管支持金具に係るものである。
【発明の効果】
【００１２】
本発明は上述のように構成したから、前記特許文献１と同様に、止着ボルトにナットを螺着したままで挾持半体を開閉させて本金具の取り付け取り外し作業ができ、そのため、止着ボルトが簡単に抜けて金具がバラけてしまうようなことがなく、また、このように止着ボルトにナットを螺着したまま開閉できるから、いちいちナットを螺着したり、取り外したりする手間もなく、ナットを落としたり無くしたりしないようにナットを管理する煩わしさもなく、極めて簡単にしてスピーディーに取り付け取り外し作業ができ、しかも本発明は、止着ボルトとナットとで配管包持部材を閉塞保持すると、下動阻止突起により止着ボルトが係脱挿通孔部に移動することが阻止されるので、この閉塞保持状態では係脱挿通孔部から止着ボルトが抜け外れることを確実に防止でき、従って前記特許文献１で聞かれたような作業者の不安感（配管脱落の不安感）を払拭でき、その上、本発明の構成は実質的に前記特許文献１に対してボルト挿通孔若しくはこのボルト挿通孔を有する挟持半体の取付部に下動阻止突起を設けるだけの簡易な構成で実現可能であるため、量産性にも秀れるなど極めて実用性に優れた画期的な配管支持金具となる。
【００１３】
また、本発明においては、前記作用・効果を確実に発揮する下動阻止突起を簡易構成にして容易に設計実現可能となり、しかも、下動阻止突起のナット若しくはボルト頭部への係止状態は、止着ボルト若しくはナットを緩めるだけで解除可能であるので配管の取り外し作業性が損なわれることもないなど一層実用性に優れた構成の配管支持金具となる。
【００１４】
また、本発明においては、止着ボルトに螺着したナット若しくは止着ボルトのボルト頭部が下動阻止突起に係止していることで回り止め作用が付与されるので、この止着ボルトとナットの締付け及び緩め作業が非常に容易に行われる一層実用性に優れた構成の配管支持金具となる。
【００１５】
また、本発明においては、二箇所の下動阻止突起が止着ボルトに螺着したナットの外周面の二面若しくは止着ボルトのボルト頭部の外周面の二面に係止することによって止着ボルトの係脱挿通孔部への移動を確実に阻止できると共に、ナット若しくはボルト頭部への回り止め作用を確実に付与できる一層実用性に優れた構成の配管支持金具となる。
【００１６】
また、本発明においては、前記作用・効果を確実に発揮する下動阻止突起を、配管包持部材を構成する挟持半体の上部取付部から極めて容易に一体成形できる一層実用性・量産性に優れた構成の配管支持金具となる。
【図面の簡単な説明】
【００１７】
【図１】本実施例の使用状態を示す説明斜視図である。
【図２】本実施例のナットを少し緩めた状態を示す説明斜視図である。
【図３】本実施例の止着ボルトにナットを螺着したままで止着ボルトを係脱挿通孔部に移動させた状態（止着ボルトを係脱挿通孔部から挿脱となる状態）を示す要部の拡大説明斜視図である。
【図４】本実施例の配管包持部材の締付閉塞保持状態を示す要部の拡大説明側面図である。
【図５】本実施例の配管包持部材の閉塞保持解除状態を示す要部の拡大説明側面図である。
【図６】図５の一部を切り欠いた拡大説明正面図である。
【発明を実施するための形態】
【００１８】
好適と考える本発明の実施形態を、図面に基づいて本発明の作用を示して簡単に説明する。
【００１９】
配管１を配管包持部材３の左右一対の挟持半体２で包持（挟持）し、止着ボルト８をボルト挿通孔９の係止挿通孔部９Ａに移動してこの止着ボルト８に螺着したナット10を締付すると、係止挿通孔部９Ａが止着ボルト８のボルト杆部８Ａより径大であってこの止着ボルト８に螺着するナット10若しくはこの止着ボルト８のボルト頭部８Ｂより径小であるため、この配管包持部材３の挟持半体２が締付閉塞保持されて配管１を本金具で支持することができる。
【００２０】
また、この際、ボルト挿通孔９の前記係止挿通孔部９Ａに挿通した止着ボルト８のボルト頭部８Ｂ若しくはこの止着ボルト８に螺着したナット10に、ボルト挿通孔９若しくは挟持半体２上部の取付部２Ａに設けた下動阻止突起11が係止して止着ボルト８がボルト挿通孔９下部の係脱挿通孔部９Ｂに移動することが阻止される。従って、この配管包持部材３の閉塞保持状態では、止着ボルト８が何らかの要因によって係脱挿通孔部９Ｂに移動してしまうようなことは決してなく、この係脱挿通孔部９Ｂからナット10若しくはボルト頭部８Ｂが挿脱して止着ボルト８が抜け外れること（配管１が配管包持部材３から脱落すること）が確実に防止される。尚、請求項１中の「ナットを締付して前記配管包持部材の挟持半体を閉塞保持した際に」なる記載は、ナット10を最大限締付して配管包持部材３を閉塞保持した状況だけに特定した意味合いではなく、多少ナット10が緩んでいても配管包持部材３が閉塞保持されているような状況をも含む意味合いで用いているものである。
【００２１】
配管１を抱持している本金具を取り外す場合は、先ず止着ボルト８のボルト杆部８Ａに締め付け螺着しているナット10を緩め回動し、止着ボルト８のボルト先端部側へナット10を移動させる。
【００２２】
また、このナット10を緩めた状態では、図２に示すように止着ボルト８に対しては本金具の自重や抱持している配管１の荷重が加わっていて、止着ボルト８にナット10を螺着したままとなっているから、止着ボルト８が抜け外れたり、または、傾いて止着ボルト８に螺着したナット10やボルト頭部８Ｂがボルト挿通孔９の径大な係脱挿通孔部９Ｂから容易に抜け外れてしまうことはない。
【００２３】
例えば図３に示すように、この状態で配管包持部材３を手で支えるなどして本金具や配管１の荷重を弱め、止着ボルト８を下方に傾けるなどしてボルト挿通孔９から抜き外したいナット10やボルト頭部８Ｂをボルト挿通孔９の径小な係止挿通孔部９Ａから径大な係脱挿通孔部９Ｂへ移動させる。
【００２４】
すると、ナット10若しくはボルト頭部８Ｂより径大に形成した係脱挿通孔部９Ｂを介してナット10若しくはボルト頭部８Ｂをボルト挿通孔９から抜き外すことが可能となるので、このボルト挿通孔９を設けた一方の挾持半体２を下方へ回動させナット10を螺着したままの止着ボルト８から抜き外して配管包持部材３を開き、配管１から本金具を取り外すことができる。
【００２５】
従って、本発明は、止着ボルト８にナット10を螺着したままで挾持半体２を開閉させて本金具の取り付け取り外し作業ができるから、止着ボルト８が抜けて金具がバラけてしまうこともなく、また、このように止着ボルト８にナット10を螺着したまま開閉できるから、いちいちナット10を螺着したり、取り外したりする手間もなく、ナット10を落としたり、無くしたりしないようにナット10を管理する煩わしさもなく、極めて簡単にしてスピーディーに取り付け、取り外し作業ができ、しかも、止着ボルト８とナット10とで配管包持部材３を閉塞保持すると、止着ボルト８が係脱挿通孔部９Ｂに移動することが確実に阻止されて止着ボルト８脱落（本金具からの配管１の脱落）の心配がないので、前記特許文献１で聞かれたような作業者の不安感を払拭できることとなる。
【実施例】
【００２６】
本発明の具体的な実施例について図面に基づいて説明する。
【００２７】
本実施例は、配管１を抱持支承するＣ状の帯板材の上部に平板状の取付部２Ａを一体的に連設した挾持半体２の下部同士を枢着して、互いに下方へ開閉回動自在な配管包持部材３を構成している。
【００２８】
この左右一対の挾持半体２から成る配管抱持部材３の前記対向する取付部２Ａ間に、上部に吊りボルト螺着部５を設けた取付部材７の下部を重合連結する構成としている。
【００２９】
具体的には、この取付部材７は逆Ｕ字状板材で構成して上部に前記吊りボルト螺着部５を設け、この取付部材７下部の対向脚板部を取付用重合部６として前記取付部２Ａ間に垂下配設する構成としている。
【００３０】
本実施例では、この配管抱持部材３の対向する取付部２Ａとその間に配する取付部材７の取付用重合部６に夫々横方向に連通状態に貫通孔12を形成し、この各貫通孔12に止着ボルト８を挿通してナット10を螺着することで、この止着ボルト８を介して配管包持部材３と取付部材７とを連結した構成としている。
【００３１】
また、この各貫通孔12は、止着ボルト８のボルト杆部８Ａの径より径大に形成してこのボルト杆部８Ａに対して少なくとも上下方向に遊びを生じる形状に構成し、この各貫通孔12に対して止着ボルト８が上下に傾動（上下方向に移動）できると共に、止着ボルト８から各挾持半体２の一方を抜き外すことで、この一方の挟持半体２を他方の挟持半体２に対して下方へ開き回動し得るように構成している。また、この各貫通孔12は、前述のような遊びが生じるように形成するが、止着ボルト８のボルト頭部８Ｂやこの止着ボルト８に螺着するナット10が通ることができない孔径寸法を有するものとし、止着ボルト８にナット10が螺着されている以上は、この貫通孔12から止着ボルト８が抜け落ちることのないように形成している。
【００３２】
このような構成において、本実施例ではボルト頭部８Ｂと反対側の（ナット10を螺着する）ボルト先端部側を配する側の挾持半体２の取付部２Ａに設ける前記貫通孔12をボルト挿通孔９とし、このボルト挿通孔９を次のように形成している（即ち、本実施例では、ボルト頭部８Ｂから取付部２Ａを抜き外すのではなく、ナット10から取付部２Ａを抜き外す構成を採用している。)。
【００３３】
上下方向に長さを有する孔形状であって、前記止着ボルト８のボルト杆部８Ａより径大であってこの止着ボルト８に螺着するナット10より径小な係止挿通孔部９Ａを上部に、前記止着ボルト８に螺着するナット10より径大な係脱挿通孔部９Ｂを下部にして、相対的に前記止着ボルト８がこの係脱挿通孔部９Ｂから係止挿通孔部９Ａへ移動自在となり、逆に係止挿通孔部９Ａから係脱挿通孔部９Ｂへも移動自在となるように連通状態に構成している。
【００３４】
更に詳しくは、止着ボルト８のボルト杆部８Ａより径大であってこの止着ボルト８に螺着するナット10より径小な径小丸穴と、止着ボルト８に螺着するナット10若しくはボルト頭部８Ｂより径大な径大丸穴とを、前記径小丸穴が上に前記径大丸穴が下になるようにして上下方向に連設状態に設け、上部の径小丸穴を前記係止挿通孔部９Ａとし、下部の径大丸穴を係脱挿通孔部９Ｂとしている。尚、このボルト挿通孔９の形状は、本実施例に限らず、適宜設計変更可能である。
【００３５】
従って、前記止着ボルト８にナット10を螺着した状態であっても、前記ボルト挿通孔９の係脱挿通孔部９Ｂを介して挾持半体２を回動操作することでボルト挿通孔９にナット10と共に止着ボルト８を挿通でき、この止着ボルト８をボルト挿通孔９のこの係脱挿通孔部９Ｂから係止挿通孔部９Ａへ相対的に移動させることでナット10の内側のボルト杆部８Ａに係止挿通孔部９Ａの孔縁が係止して、ボルト挿通孔９より止着ボルト８が抜け止め状態となり止着ボルト８にナット10を締付螺着し得るように構成している。
【００３６】
具体的には、前記止着ボルト８のボルト杆部８Ａの先端部側に螺着する前記ナット10を緩め回動してこの先端方向へ移動させた状態でこの止着ボルト８の先端部側を下方へ傾動し得るように止着ボルト８に対する前記各貫通孔12の形状を前述のようにやや大きめ（径大）に設定し、この止着ボルト８を下方へ傾動させることで止着ボルト８にナット10を螺着したまま前記ボルト挿通孔９の径大な係脱挿通孔部９Ｂより止着ボルト８を係脱自在に設けて、止着ボルト８にナット10を螺着したままで前記一方の挾持半体２を開閉回動し得るように構成している。
【００３７】
従って、配管１を抱持している本金具を取り外す場合を例にとって説明すれば、先ず止着ボルト８のボルト杆部８Ａに締め付け螺着しているナット10を緩め回動し、止着ボルト８の先端部側へナット10を移動させる。
【００３８】
尚、このナット10を緩めた状態では、図２に示すように止着ボルト８に対しては本金具の自重や抱持している配管１の荷重が加わっていて、止着ボルト８にナット10を螺着したままとなっているから、止着ボルト８が抜け外れたり、傾いて止着ボルト８に螺着したナット10がボルト挿通孔９の径大な係脱挿通孔部９Ｂから容易に抜け外れてしまうことはない。
【００３９】
例えば、図３に示すようにこの状態で手で支えるなどして本金具や配管１の荷重を弱め、止着ボルト８を下方に傾けるなどしてボルト挿通孔９から抜き外したいナット10をボルト挿通孔９の径小な係止挿通孔部９Ａから径大な係脱挿通孔部９Ｂへ移動させる。そしてこのボルト挿通孔９を設けた一方の挾持半体２を下方へ回動させ、ナット10を螺着したままの止着ボルト８から抜き外して本金具を開き配管１から本金具を取り外す。
【００４０】
従って、本実施例は、止着ボルト８にナット10を螺着したままで挾持半体２を開閉させて本金具の取り付け取り外し作業ができるから、止着ボルト８が抜けて金具がバラけてしまうこともなく、また、このように止着ボルト８にナット10を螺着したまま開閉できるから、いちいちナット10を螺着したり、取り外したりする手間もなく、ナット10を落としたり、無くしたりしないようにナット10を管理する煩わしさもない構成としている。
【００４１】
尚、本実施例では、止着ボルト８にナット10を螺着させたまま開閉させるため、止着ボルト８からナット10を取り外す必要はないことから、ナット10を緩め回動して止着ボルト８から抜落しないように、例えば止着ボルト８のボルト杆部８Ａ先端部の螺着溝をつぶすなどして抜脱不能に構成しても良い。このように構成することにより、ナット10の緩めすぎに気をとられることもなく、また、必ずナット10が止着ボルト８から抜け外れて落下することはないから、一層秀れた配管支持金具となる。
【００４２】
本実施例は、前記ボルト挿通孔９の前記係止挿通孔部９Ａに止着ボルト８を移動させナット10を締付して前記配管包持部材３の挟持半体２を閉塞保持した際に、このナット10に係止して止着ボルト８がボルト挿通孔９下部の前記係脱挿通孔部９Ｂに移動することを阻止する下動阻止突起11を、このボルト挿通孔９に設けている。尚、下動阻止突起11が止着ボルト８のボルト頭部８Ｂに係止する構成としても良いし、ボルト挿通孔９を有する挟持半体２の取付部２Ａに下動阻止突起11を設けても良い。
【００４３】
具体的には、この下動阻止突起11は、前記ボルト挿通孔９から前記左右一対の挟持半体２の対向外側に向けて突設して、この外側に突設する下動阻止突起11が前記止着ボルト８に螺着した前記ナット10に係止するように構成している。
【００４４】
また、この下動阻止突起11は、前記ボルト挿通孔９の前記係止挿通孔部９Ａと前記係脱挿通孔部９Ｂとの境界付近の左右対向二箇所に設けて、この二箇所の下動阻止突起11に前記ナット10が係止する構成としている。
【００４５】
更に詳しくは、この下動阻止突起11は、ボルト挿通孔９を取付部２Ａに貫通形成（例えば打ち抜き形成）する際同時に、係止挿通孔部９Ａと前記係脱挿通孔部９Ｂとの境界付近の対向位置にボルト挿通孔９の内方へ向かって突出する突片を切り出し形成し（突片を有する形状にボルト挿通孔９を貫通形成し）、この対向二箇所の切り出し突片を、左右一対の挟持半体２の対向外側に向けて曲げ起こした（折曲した）この各切り起こし片11で構成している。
【００４６】
そして、この係止挿通孔部９Ａと前記係脱挿通孔部９Ｂとの境界付近の対向位置から突設する下動阻止突起11が、前記係止挿通孔部９Ａに挿通した前記止着ボルト８に螺着した前記ナット10の図面下側に位置する部位の左右二箇所に当接係止することで、止着ボルト８が下方の係脱挿通孔部９Ｂ側に移動できなくなって係止挿通孔部９Ａにとどまることになる構成としている。
【００４７】
また、この下動阻止突起11は、その突出長を、ナット10を多少緩めた程度ではナット10への係止状態が解除されない長さに設定し、これにより万が一ナット10が多少緩んだとしても、止着ボルト８が係止挿通孔部９Ａにとどまって止着ボルト８が抜け外れることのない構成としている。
【００４８】
従って、本実施例によれば、止着ボルト８をボルト挿通孔９の係止挿通孔部９Ａに移動し、この止着ボルト８に螺着したナット10を締付して配管包持部材３の挟持半体２を締付閉塞保持すると、ナット10の二箇所に下動阻止突起11が係止して止着ボルト８がボルト挿通孔９下部の係脱挿通孔部９Ｂに移動することが確実に阻止される構成としている。よって、この配管包持部材３の閉塞保持状態では、止着ボルト８が何らかの要因によって係脱挿通孔部９Ｂに移動してしまうようなことは決してなく、この係脱挿通孔部９Ｂからナット10若しくはボルト頭部８Ｂが挿脱して止着ボルト８が抜け外れること（配管１が配管包持部材３から脱落すること）が確実に防止されることになる。
【００４９】
また、止着ボルト８に螺着したナット10を緩めてナット10とボルト頭部８Ｂ間の距離を拡大すれば、ナット10を下動阻止突起11の突出先端部より外方へ位置させることでナット10の下動阻止突起11への係止状態を解除し得るように構成している。
【００５０】
また、本実施例の下動阻止突起11は、前記止着ボルト８に螺着した前記ナット10の外周面若しくはこの止着ボルト８のボルト頭部８Ｂの外周面に係止してこのナット10若しくはボルト頭部８Ｂに回り止め作用を付与する形状に形成している。
【００５１】
具体的には、図４に示すように、二箇所の下動阻止突起11が、前記ナット10（六角ナット10）の外周面の六面のうちの対向側に存する二面（更に詳しくは真下方向に向けたナット10の外周面の両隣の面）にひとつずつ当接係止するように、この下動阻止突起11の形成位置を設定構成し、このナット10の対向側の二面に下動阻止突起11が当接係止することでナット10に回り止め作用を付与して、この止着ボルト８とナット10の締付け及び緩め作業が非常に容易に行われる構成としている。
【００５２】
尚、本発明は、本実施例に限られるものではなく、各構成要件の具体的構成は適宜設計し得るものである。
【符号の説明】
【００５３】
１  配管
２  挟持半体
２Ａ  取付部
３  配管包持部材
４  吊りボルト
５  吊りボルト螺着部
６  取付用重合部
７  取付部材
８  止着ボルト
８Ａ  ボルト杆部
８Ｂ  ボルト頭部
９  ボルト挿通孔
９Ａ  係止挿通孔部
８Ｂ  係脱挿通孔部
10  ナット
11  下動阻止突起（切り起こし片）
【図１】
0005411838.tif 000002
【図２】
0005411838.tif 000003
【図３】
0005411838.tif 000004
【図４】
0005411838.tif 000005
【図５】
0005411838.tif 000006
【図６】
0005411838.tif 000007